(57)【要約】【課題】  かごの壁部に付属部品が取り付けられていたとしても、体裁よく取り付けることができ、壁部の保護領域の途中位置でかごの壁部から浮き上がってしまうことを抑制することのできるかご内壁面保護部材を提供する。【解決手段】  かごの壁部の内壁面から突出する取付部及び該取付部に連結された機能部を含む付属部品の取り付けられた壁部の内壁面のうち、少なくとも付属部品の配置された領域を覆うシート部材であって、上下方向と直交する横方向に間隔をあけて上下方向に延びる一対の側端及び横方向に延びる下端を含むシート部材と、シート部材に取り付けられた固定部材であって、壁部の内壁面を覆ったシート部材を該内壁面に固定する固定部材とを備え、シート部材は、取付部を配置する孔部と、該孔部と連続し且つ孔部から一対の側端のうちの何れか一方の側端又は下端に延びる切り込みとを備える。【選択図】図１
2018020856.tif 000002
【特許請求の範囲】
【請求項１】
建物内で上下方向に延びる昇降路を昇降し、且つ所望する階層に人や荷物を運搬するかごの壁部の内壁面から突出する取付部及び該取付部に連結された機能部を含む付属部品の取り付けられた壁部の内壁面のうち、少なくとも付属部品の配置された領域を覆うシート部材であって、上下方向と直交する横方向に間隔をあけて上下方向に延びる一対の側端及び横方向に延びる下端を含むシート部材と、シート部材に取り付けられた固定部材であって、壁部の内壁面を覆ったシート部材を該内壁面に固定する固定部材とを備え、シート部材は、取付部を配置する孔部と、該孔部と連続し且つ孔部から一対の側端のうちの何れか一方の側端又は下端に延びる切り込みとを備えることを特徴とするかご内壁面保護部材。
【請求項２】
付属部品は、上下方向と直交する横方向に間隔をあけて配置された複数の取付部と、複数の取付部に跨るように横方向に延び且つ複数の取付部に連結された機能部とを含み、シート部材は、複数の取付部に対応して配置される複数の孔部と、複数の孔部のそれぞれと連続する複数の切り込みとを備え、複数の切り込みのそれぞれは、他の切り込みに対して非交差状態で且つ非重複状態であり、連続する孔部から一対の側端のうちの何れか一方の側端又は下端に延びている請求項１に記載のかご内壁面保護部材。
【請求項３】
複数の切り込みのそれぞれは、直線状をなし、互いの交差角度が直角又は略直角をなす側端又は下端に延びている請求項２に記載のかご内壁面保護部材。
【請求項４】
複数の切り込みのうちの横方向の両端にある孔部のそれぞれに連続する切り込みは、連続する孔部から該孔部に対して近い方にある側端又は下端に延び、残りの切り込みは、連続する孔部から下端に延びている請求項３に記載のかご内壁面保護部材。
【請求項５】
かごの壁部は、磁性を有し、固定部材は、シート部材に取り付けられたマグネットシートである請求項１乃至４の何れか１項に記載のかご内壁面保護部材。
【発明の詳細な説明】
【技術分野】
【０００１】
本発明は、人や荷物の運搬に用いられるエレベータのかごの内壁面を保護するためのかご内壁面保護部材に関する。
【背景技術】
【０００２】
人や荷物（以下、人等という）を所望の階層に運搬するエレベータは、人等を収容する収容空間を有し且つ建物内で上下方向に延びる昇降路を昇降するかごを備える。
【０００３】
かごは、人等を載せる床部と、床部の外縁に沿って上下方向に起立した平板状の壁部であって、内側を向いた平面状の内壁面を有する壁部とを備える。壁部は、床部に沿って起立するため、床部に載った人等の周囲に存在する。すなわち、かごの壁部は、人等を収容する収容空間（スペース）を画定している。
【０００４】
この種のエレベータにおいて、上述の如く、かごの壁部が収容空間を画定する（人等の周囲に存在する）ため、収容空間内の荷物や荷物を載せた台車等がかごの壁部と接触し、該かごの壁部を損傷或いは破損させてしまう虞がある。
【０００５】
このような状況に鑑み、エレベータのかごの壁部を保護するためのかご内壁面保護部材（以下、単に保護部材という）が提供されている（例えば、特許文献１参照）。
【０００６】
保護部材は、第一面と該第一面の反対側の第二面を有するシート部材であって、かごの壁部を覆うシート部材と、シート部材の第一面に固定され、シート部材をかごの壁部に固定する固定部材とを備える。
【０００７】
シート部材は、少なくとも表層にクッション性を有し、例えば、少なくとも表層が厚みのあるフェルト材や不織布等で構成される。一般的に、固定部材は、保護部材の交換を考慮し、かごの壁部に対して付け外し可能に構成される。例えば、固定部材には、壁部の内壁面に対して剥離性のある粘着剤や、壁部の内壁面に対して磁着するマグネット等が採用される。
【０００８】
保護部材は、かごの壁部の内側を向く内壁面（収容空間側の面）の少なくとも一部の領域であって、かごの収容空間における荷物等の配置される領域と対応する領域をシート部材で覆うように配置される。すなわち、保護部材は、かごの収容空間を画定する内壁面のうちの少なくとも一部の領域であって、かご内で荷物や、荷物を運搬するための台車、病人を搬送するストレッチャー等の配置される領域と対応する領域を少なくとも含んだ領域をシート部材で覆うように配置される。
【０００９】
ところで、人等を運搬するエレベータの場合、利用者の安全性や利便性を考慮し、手摺りや腰掛け等の付属部品がかごの壁部に取り付けられることがある。
【００１０】
この場合、保護部材は、付属部品を躱してかごの壁部に取り付けられる。具体的に説明すると、付属部品は、壁部の内壁面に固定される取付部であって、壁部の内壁面から突出する取付部と、取付部に連設された機能部（例えば、手摺りの場合には、棒状の持ち手、腰掛けの場合には、座部）とを有する。
【００１１】
このような付属部品が壁部に取り付けられる場合、二つの保護部材（例えば、上下方向に分割された二つの保護部材）が付属部品（取付部）を挟んで上下方向に並べられ、壁部の内壁面に取り付けられる。すなわち、二つの保護部材は、それぞれのエッジに対して付属部品の取付部を躱す窪み（切欠き部）を有し、窪み（切欠き部）内に付属部品の取付部を配置しつつ該窪みの設けられた互いのエッジ同士を突き合わせた状態にされた上で、固定部材を介して内壁面に固定される。
【００１２】
これにより、保護部材は、付属部品の取付部を除いてかごの壁部（内壁面）の必要箇所の全域を覆い、かごの壁部（内壁面）を保護する。
【００１３】
しかしながら、上述の如く、二つの保護部材が上下方向に並べて配置されると、上下方向に並ぶ二つの保護部材のうちの下側の保護部材のエッジ側（上端側）が自重の影響で壁部（内壁面）から離間してしまう場合がある。すなわち、壁部の内壁面を協働して保護する（覆う）二つの保護部材は、分断されることで完全に独立しているため、下側の保護部材の上端全体が拘束されず、該保護部材の上端側が壁部の内壁面から浮いてしまうことがある。
【００１４】
このようになると、見栄えが悪くなるだけでなく、かごの壁部を確実に保護することができなくなってしまう。
【先行技術文献】
【特許文献】
【００１５】
【特許文献１】特開平１０−３３８４４３号公報
【発明の概要】
【発明が解決しようとする課題】
【００１６】
そこで、本発明は、かごの壁部に付属部品が取り付けられていたとしても、体裁よく取り付けることができ、壁部の保護領域の途中位置でかごの壁部から浮き上がってしまうことを抑制することのできるかご内壁面保護部材を提供することを課題とする。
【課題を解決するための手段】
【００１７】
本発明に係るかご内壁面保護部材は、建物内で上下方向に延びる昇降路を昇降し、且つ所望する階層に人や荷物を運搬するかごの壁部の内壁面から突出する取付部及び該取付部に連結された機能部を含む付属部品の取り付けられた壁部の内壁面のうち、少なくとも付属部品の配置された領域を覆うシート部材であって、上下方向と直交する横方向に間隔をあけて上下方向に延びる一対の側端及び横方向に延びる下端を含むシート部材と、シート部材に取り付けられた固定部材であって、壁部の内壁面を覆ったシート部材を該内壁面に固定する固定部材とを備え、シート部材は、取付部を配置する孔部と、該孔部と連続し且つ孔部から一対の側端のうちの何れか一方の側端又は下端に延びる切り込みとを備えることを特徴とする。
【００１８】
上記構成によれば、付属部品の取付部がシート部材の切り込みを通じて孔部に配置される。これにより、シート部材は、付属部品の取付部の存在する領域以外の内壁面に隣接して配置される。従って、シート部材に取り付けられた固定部材によってシート部材が内壁面に固定されることで、シート部材の配置及び姿勢が維持される。
【００１９】
孔部に連続する切り込みは、シート部材の側端又は下端に延びているため、保護部材に覆われる領域の途中位置（付属部品のある位置）で保護部材が上下方向に完全に分断されることがない。すなわち、保護部材の途中位置において、保護部材の全幅に亘っての倒れ込み作用が生じることがない。
【００２０】
従って、保護部材の途中位置（付属部品のある所）で保護部材が壁部の内壁面から浮き上がることがない。よって、上記構成のかご内壁面保護部材によれば、見栄えが悪くなることがなく、また、かごの壁部を確実に保護することができる。
【００２１】
本発明の一態様として、付属部品は、上下方向と直交する横方向に間隔をあけて配置された複数の取付部と、複数の取付部に跨るように横方向に延び且つ複数の取付部に連結された機能部とを含み、シート部材は、複数の取付部に対応して配置される複数の孔部と、複数の孔部のそれぞれと連続する複数の切り込みとを備え、複数の切り込みのそれぞれは、他の切り込みに対して非交差状態で且つ非重複状態であり、連続する孔部から一対の側端のうちの何れか一方の側端又は下端に延びていてもよい。
【００２２】
このようにすれば、異なる位置にある複数の孔部を始点とする複数の切り込みが重なり合って実質的に延長されることがなく、また、複数の切り込みが交差して切片が形成されることもない。従って、切り込みの周辺において、シート部材に浮き上がり易い部分や倒れ込み易い部分が形成されにくくなる。
【００２３】
この場合、複数の切り込みのそれぞれは、直線状をなし、互いの交差角度が直角又は略直角をなす側端又は下端に延びていることが好ましい。
【００２４】
このようにすれば、複数の切り込みを非重複状態で且つ非交差状態にした上で複数の切り込みの長さを短くできるため、切り込み周辺でのシート部材の浮き上がりや倒れ込みを抑制することができる。
【００２５】
さらに、この場合において、複数の切り込みのうちの横方向の両端にある孔部のそれぞれに連続する切り込みは、連続する孔部から該孔部に対して近い方にある側端又は下端に延び、残りの切り込みは、連続する孔部から下端に延びていること好ましい。
【００２６】
このようにすれば、複数の切り込みの長さを最短にできるため、切り込み周辺でのシート部材の浮き上がりや倒れ込みをより抑制することができる。
【００２７】
本発明の他態様として、かごの壁部は、磁性を有し、固定部材は、シート部材に取り付けられたマグネットシートであってもよい。
【００２８】
このようにすれば、壁部に対するマグネットシートの磁着により、固定部材（マグネットシート）を介してシート部材を壁部に固定できるとともに、該壁部から取り外すこともできる。
【発明の効果】
【００２９】
本発明によれば、かごの壁部に付属部品が取り付けられていたとしても、体裁よく取り付けることができ、壁部の保護領域の途中位置でかごの壁部から浮き上がってしまうことを抑制することができるという優れた効果を奏し得る。
【図面の簡単な説明】
【００３０】
【図１】図１は、エレベータの概略全体斜視図である。
【図２】図２は、エレベータのかごの内部の概要図であって、かごに対して乗り降りする方向から見たかご内部の概要図である。
【図３】図３は、エレベータのかごの内部の概要図であって、かごに対して乗り降りする方向に対して直交する方向から見たかご内部の概要図である。
【図４】図４は、本発明の一実施形態に係るかご内壁面保護部材の全体図であって、かごの奥側の壁部（内壁面）に取り付けられるかご内壁面保護部材の全体図である。
【図５】図５は、同実施形態に係るかご内壁面保護部材の全体図であって、かごの横側の壁部（内壁面）に取り付けられるかご内壁面保護部材の全体図である。
【図６】図６は、同実施形態に係るかご内壁面保護部材をかごの奥側の壁部（内壁面）に取り付けた状態の概要図である。
【図７】図７は、同実施形態に係るかご内壁面保護部材をかごの横側の壁部（内壁面）に取り付けた状態の概要図である。
【発明を実施するための形態】
【００３１】
以下、本発明の一実施形態に係るかご内壁面保護部材（以下、保護部材という）について、添付図面を参照しつつ説明する。
【００３２】
まず、保護部材の取り付け対象となるエレベータについて概略説明すると、図１に示す如く、エレベータ１は、複数の階層Ｆに跨って建物内で上下方向に延びる昇降路Ｒに沿って昇降するかご２を備える。
【００３３】
かご２は、人や荷物（以下、人等という）を収容可能に構成される。具体的に説明すると、かご２は、人等を載せるかご本体２０であって、利用者（人）が所望する階層で乗り降りするための開口部２００を有するかご本体２０と、上下方向と直交する方向（以下、幅方向という）に移動可能なドアパネル２１０であって、かご本体２０の開口部２００を開放する開位置と該開口部２００を閉じる閉位置とに位置変更可能なドアパネル２１０を含むドア装置２１とを備える。
【００３４】
かご本体２０は、図２及び図３に示す如く、床板２０１と、床板２０１に対して上下方向に間隔をあけて対向する天井２０２と、床板２０１と天井２０２との外縁同士を繋ぐ壁部２０３，２０４とを備える。一般的に、かご２（かご本体２０）における人等を載せるスペース（収容空間２２０）は、直方体状にされる。
【００３５】
すなわち、かご本体２０の床板２０１及び天井２０２は、正面視矩形状に形成される。これに伴い、かご本体２０は、壁部２０３，２０４として、幅方向に間隔をあけて配置される一対の壁部（以下、第一壁部という）２０３であって、幅方向における床板２０１の端縁と天井２０２の端縁とを繋ぐ一対の第一壁部２０３と、上下方向及び幅方向と直交する方向（以下、奥行き方向という）における床板２０１の端縁と天井２０２の端縁とを繋ぎ、且つ一対の第一壁部２０３の奥行き方向の一方の端縁同士を繋ぐ壁部（以下、第二壁部という）２０４とを備える。
【００３６】
上記構成のかご本体２０において、一対の第一壁部２０３の奥行き方向の他方の端縁間が開口部２００となる（図３参照）。これに伴い、開口部２００がドアパネル２１０によって閉塞されることで、かご２の収容空間２２０は、直方体状の閉じられた空間となる。
【００３７】
第一壁部２０３及び第二壁部２０４のそれぞれは、第一面と該第一面の反対側の第二面とを有するベースパネル２０５ａ，２０５ｂであって、第一面を内側（床板２０１及び天井２０２の存在する側）に向けて配置され、床板２０１から天井２０２に至るベースパネル２０５ａ，２０５ｂと、第一面と該第一面の反対側の第二面とを有する保護パネル２０６ａ，２０６ｂであって、第一面を内側（床板２０１及び天井２０２の存在する側）に向けて第二面をベースパネル２０５ａ，２０５ｂの第一面の少なくとも下側の領域（荷物等の接触する虞のある下側の領域）に重ね合わされた保護パネル２０６ａ，２０６ｂとを備える。
【００３８】
ベースパネル２０５ａ，２０５ｂは、磁性を有する金属製のパネルである。これに対し、保護パネル２０６ａ，２０６ｂは、ベースパネル２０５ａ，２０５ｂよりも剛性の高い金属パネルである。本実施形態において、保護パネル２０６ａ，２０６ｂは、非磁性のステンレス製のパネルである。これにより、第一壁部２０３及び第二壁部２０４のそれぞれにおいて、ベースパネル２０５ａ，２０５ｂの少なくとも下側の領域が保護パネル２０６ａ，２０６ｂによって保護されている。
【００３９】
上記構成のかご本体２０において、床板２０１の一方の面、天井２０２の一方の面、一対の第一壁部２０３のそれぞれの一方の面、及び第二壁部２０４の一方の面によって、人等を載せる収容空間２２０が画定されている。
【００４０】
すなわち、かご本体２０は、人等を載せる収容空間２２０を画定する面として、床板２０１の上向きの一方の面である床面２０１ａと、天井２０２の下向きの一方の面である天井面２０２ａであって、床面２０１ａに対して上下方向に間隔をあけて対向する天井面２０２ａと、一対の第一壁部２０３のそれぞれの内側を向く一方の面である一対の内壁面２０３ａであって、天井面２０２ａと床面２０１ａとの間に配置され、上下方向と直交する方向（以下、幅方向という）で互いに間隔をあけて対向する一対の内壁面（以下、第一内壁面という）２０３ａと、第二壁部２０４の内側を向く面である内壁面２０４ａであって、天井面２０２ａと床面２０１ａとの間に配置され、ドアパネル２１０に対して奥行き方向で間隔をあけて対向する内壁面（以下、第二内壁面という）２０４ａとを有する。
【００４１】
なお、本実施形態の第一壁部２０３及び第二壁部２０４のそれぞれは、上述の如く、ベースパネル２０５ａ，２０５ｂに対して保護パネル２０６ａ，２０６ｂが重ね合わされているため、第一内壁面２０３ａ及び第二内壁面２０４ａのそれぞれは、保護パネル２０６ａ，２０６ｂの第一面と、ベースパネル２０５ａ，２０５ｂの第一面の一部の領域であって、保護パネル２０６ａ，２０６ｂの重なっていない領域とによって構成されている。
【００４２】
本実施形態に係るエレベータ１は、かご２の壁部２０３，２０４（第一壁部２０３及び第二壁部２０４）の内壁面２０３ａ，２０４ａ（第一内壁面２０３ａ、第二内壁面２０４ａ）に取り付けられた付属部品３を備える。
【００４３】
付属部品３は、かご２の第一内壁面２０３ａ及び第二内壁面２０４ａのそれぞれに取り付けられている。本実施形態において、付属部品３は、第一内壁面２０３ａ及び第二内壁面２０４ａのそれぞれの保護パネル２０６ａ，２０６ｂの第一面に取り付けられている。
【００４４】
付属部品３は、かご２の壁部２０３，２０４（第一壁部２０３及び第二壁部２０４）の内壁面２０３ａ，２０４ａ（第一内壁面２０３ａ、第二内壁面２０４ａ）から突出する取付部３０及び該取付部３０に連結された機能部３１を含む。かご２の壁部２０３，２０４（内壁面２０３ａ，２０４ａ）に取り付けられる付属部品３には、手摺りや腰掛け等があるが、本実施形態に係る付属部品３は、手摺りである。
【００４５】
これに伴い、本実施形態において、付属部品（手摺り）３は、上下方向と直交する横方向に間隔をあけて配置された複数の取付部３０と、横方向に延び且つ複数の取付部３０に連結された棒状の機能部３１とを含む。本実施形態において、付属部品（手摺り）３は、横方向に間隔をあけて配置された三つの取付部３０を有し、横方向の中央にある取付部３０が両端の取付部３０よりも床面２０１ａ側に位置ずれして配置されている。
【００４６】
エレベータ１（かご２）は、以上の通りであり、保護部材は、付属部品３が取り付けられたかご２の壁部２０３，２０４（第一壁部２０３、第二壁部２０４）の内壁面２０３ａ，２０４ａ（第一内壁面２０３ａ、第二内壁面２０４ａ）を保護する。
【００４７】
具体的に説明すると、図４及び図５に示す如く、保護部材４，５は、内壁面２０３ａ，２０４ａ（第一内壁面２０３ａ、第二内壁面２０４ａ）のうちの少なくとも付属部品３の配置された領域を覆うシート部材４０，５０であって、上下方向と直交する横方向に間隔をあけて上下方向に延びる一対の側端ＳＥ及び横方向に延びる下端ＵＥを含むシート部材４０，５０と、シート部材４０，５０に取り付けられた固定部材４１，５１であって、内壁面２０３ａ，２０４ａを覆ったシート部材４０，５０を該内壁面２０３ａ，２０４ａに固定する固定部材４１，５１とを備える。
【００４８】
なお、本実施形態において、保護部材４，５として、第一内壁面２０３ａ用の保護部材４（図４参照）と、第二内壁面２０４ａ用の保護部材５（図５参照）とがあるが、第一内壁面２０３ａ用の保護部材４及び第二内壁面２０４ａ用の保護部材５は、シート部材４０，５０のサイズが取り付け対象となる内壁面２０３ａ，２０４ａのサイズに合わされ、後述の孔部４００，５００及び切り込み４０１，５０１が付属部品３の形態（取付部３０の数、配置、形状）に合わされて設けられる以外は、共通した構成を有する。
【００４９】
これに伴い、以下の説明において、第一内壁面２０３ａ用の保護部材４及び第二内壁面２０４ａ用の保護部材５について、併せて説明することとし、第一内壁面２０３ａ及び第二内壁面２０４ａを総称して単に内壁面２０３ａ，２０４ａということとする。
【００５０】
シート部材４０，５０は、少なくとも収容空間２２０側を向く面にクッション性を有する。すなわち、シート部材４０，５０は、少なくとも収容空間２２０側の表層にクッション層を有する。クッション層には、フェルト生地や、不織布等の繊維、或いは、起毛生地が採用される。本実施形態において、シート部材４０，５０は、単層であり、フェルト生地により構成される。
【００５１】
シート部材４０，５０は、内壁面２０３ａ，２０４ａに合わせた形状に裁断され、シート部材４０，５０の外縁には、上下方向に延び且つ上下方向と直交する方向で間隔をあけた一対の側端ＳＥと、横方向に延びて一対の側端ＳＥの一端同士を繋ぐ下端ＵＥとが含まれる。また、シート部材４０，５０の外縁には、一対の側端ＳＥ及び下端ＵＥに加え、横方向に延びて一対の側端ＳＥの他端同士を繋ぐ上端ＡＥが含まれる。
【００５２】
本実施形態において、シート部材４０，５０は、正面視矩形状に裁断されている。これに伴い、シート部材４０，５０の側端ＳＥ、下端ＵＥ、及び上端ＡＥのそれぞれは、直線状である。
【００５３】
シート部材４０，５０は、付属部品３の取付部３０を配置する孔部４００，５００と、該孔部４００，５００と連続し且つ孔部４００，５００から一対の側端ＳＥのうちの何れか一方の側端ＳＥ又は下端ＵＥに延びる切り込み４０１，５０１とを備える。
【００５４】
本実施形態において、付属部品３は、上述の如く、上下方向と直交する横方向に間隔をあけて配置された複数の取付部３０と、複数の取付部３０に跨るように横方向に延び且つ複数の取付部３０に連結された機能部３１とを含む。これに伴い、シート部材４０，５０は、複数の取付部３０に対応して配置される複数の孔部４００，５００と、複数の孔部４００，５００のそれぞれと連続する複数の切り込み４０１，５０１とを備える。
【００５５】
複数の切り込み４０１，５０１のそれぞれは、他の切り込み４０１，５０１に対して非交差状態で且つ非重複状態であり、連続する孔部４００，５００から一対の側端ＳＥのうちの何れか一方の側端ＳＥ又は下端ＵＥに延びている。
【００５６】
本実施形態において、複数の切り込み４０１，５０１のそれぞれは、直線状をなし、互いの交差角度が直角又は略直角をなす側端ＳＥ又は下端ＵＥに延びている。より具体的には、複数の切り込み４０１，５０１のうちの横方向の両端にある孔部４００，５００のそれぞれに連続する切り込み４０１，５０１は、連続する孔部４００，５００から該孔部４００，５００に対して近い方にある側端ＳＥに延び、残りの切り込み４０１，５０１は、連続する孔部４００，５００から下端ＵＥに延びている。
【００５７】
本実施形態において、上述の如く、付属部品３は、横方向に間隔をあけて配置された三つの取付部３０を有し、横方向の中央にある取付部３０が両端の取付部３０よりも底面側に位置ずれして配置されている。これに伴い、シート部材４０，５０は、一対の側端ＳＥ間で間隔をあけて配置された三つの孔部４００，５００を有し、中央の孔部４００，５００は、両端の孔部４００，５００よりも下端ＵＥ側に位置ずれして配置される。
【００５８】
横方向の両端にある孔部４００，５００は、下端ＵＥよりも側端ＳＥの方が近いため、これらの孔部４００，５００に連続する切り込み４０１，５０１は、側端ＳＥに延びている。これに対し、中央にある孔部４００，５００は、一対の側端ＳＥの何れよりも下端ＵＥの方が近い位置にあるため、中央にある孔部４００，５００に連続する切り込み４０１，５０１は下端ＵＥに延びている。
【００５９】
本実施形態において、固定部材４１，５１には、マグネットシートが採用される。本実施形態において、保護部材４，５は、固定部材（マグネットシート）４１，５１として、それぞれが帯状をなす複数の第一マグネットシート４１ａ，５１ａと、それぞれが短冊状に形成された複数の第二マグネットシート４１ｂ，５１ｂとを備える。複数の第一マグネットシート４１ａ，５１ａのそれぞれの長手方向の長さは、シート部材４０，５０の下端ＵＥから上端ＡＥまでの長さと一致する。複数の第一マグネットシート４１ａ，５１ａは、横方向に間隔をあけて配置される。横方向の両端にある第一マグネットシート４１ａ，５１ａは、シート部材４０，５０の側端ＳＥに沿って配置される。
【００６０】
第二マグネットシート４１ｂ，５１ｂは、複数の第一マグネットシート４１ａ，５１ａが横方向に間隔をあけて配置されることを前提に、シート部材４０，５０の上端ＡＥに沿うように、横方向で隣り合う第一マグネットシート４１ａ，５１ａの間に配置される。
【００６１】
これにより、固定部材４１，５１（第一マグネットシート４１ａ，５１ａ、第二マグネットシート４１ｂ，５１ｂ）は、シート部材４０，５０の多くの領域を内壁面２０３ａ，２０４ａに固定する。
【００６２】
本実施形態において、保護部材４，５は、固定部材（マグネットシート）４１，５１として、第一マグネットシート４１ａ，５１ａ及び第二マグネットシート４１ｂ，５１ｂに加え、切り込み４０１，５０１の両側に配置される第三マグネットシート４１ｃ，５１ｃを備える。また、保護部材４，５は、固定部材（マグネットシート）４１，５１として、孔部４００，５００の周辺に配置される第四マグネットシート４１ｄ，５１ｄを備える。これにより、固定部材４１，５１（第三マグネットシート４１ｃ，５１ｃ、第四マグネットシート４１ｄ，５１ｄ）は、シート部材４０，５０の開放端（エッジ）の周辺を内壁面２０３ａ，２０４ａに固定する。
【００６３】
以上のように、本実施形態に係る保護部材（かご内壁面保護部材）４は、建物内で上下方向に延びる昇降路Ｒを昇降し、且つ所望する階層に人等を運搬するかご２の壁部２０３，２０４の内壁面２０３ａ，２０４ａから突出する取付部３０及び該取付部３０に連結された機能部３１を含む付属部品３の取り付けられた壁部２０３，２０４の内壁面２０３ａ，２０４ａのうち、少なくとも付属部品３の配置された領域を覆うシート部材４０，５０であって、上下方向と直交する横方向に間隔をあけて上下方向に延びる一対の側端ＳＥ及び横方向に延びる下端ＵＥを含むシート部材４０，５０と、シート部材４０，５０に取り付けられた固定部材４１，５１であって、壁部２０３，２０４の内壁面２０３ａ，２０４ａを覆ったシート部材４０，５０を該内壁面２０３ａ，２０４ａに固定する固定部材４１，５１とを備え、シート部材４０，５０は、取付部３０を配置する孔部４００，５００と、該孔部４００，５００と連続し且つ孔部４００，５００から一対の側端ＳＥのうちの何れか一方の側端ＳＥ又は下端ＵＥに延びる切り込み４０１，５０１とを備える。
【００６４】
上記構成によれば、図６及び図７に示す如く、付属部品３の取付部３０がシート部材４０，５０の切り込み４０１，５０１を通じて孔部４００，５００に配置される。これにより、シート部材４０，５０は、付属部品３の取付部３０の存在する領域以外の内壁面２０３ａ，２０４ａに隣接して配置される。従って、シート部材４０，５０に取り付けられた固定部材４１，５１によってシート部材４０，５０が内壁面２０３ａ，２０４ａに固定されることで、シート部材４０，５０の配置及び姿勢が維持される。
【００６５】
孔部４００，５００に連続する切り込み４０１，５０１は、シート部材４０，５０の側端ＳＥ又は下端ＵＥに延びているため、保護部材４，５に覆われる領域の途中位置（付属部品３のある位置）で保護部材４，５が上下方向に完全に分断されることがない。すなわち、保護部材４，５の途中位置において、保護部材４，５の全幅に亘っての倒れ込み作用が生じることがない。
【００６６】
従って、保護部材４，５の途中位置（付属部品３のある所）で保護部材４，５が壁部２０３，２０４の内壁面２０３ａ，２０４ａから浮いて垂れ下がることがない。よって、かご２の壁部２０３，２０４（内壁面２０３ａ，２０４ａ）が露呈して見栄えが悪くなることがなく、また、かご２の壁部２０３，２０４を確実に保護することができる。
【００６７】
本実施形態のように、かご２の壁部２０３，２０４が非磁性金属製の保護パネル２０６ａ，２０６ｂを含み、この保護パネル２０６ａ，２０６ｂ上に付属部品３が固定される場合、固定部材４１，５１が磁着を前提とするマグネットシートにされると、壁部２０３，２０４（付属部品３の周辺）に対する固定力が低下するが、上記構成の保護部材４，５であれば、保護部材４，５（シート部材４０，５０）の浮き上がりや倒れ込みがなく、特に有効である。
【００６８】
本実施形態において、付属部品３は、上下方向と直交する横方向に間隔をあけて配置された複数の取付部３０と、複数の取付部３０に跨るように横方向に延び且つ複数の取付部３０に連結された機能部３１とを含み、シート部材４０，５０は、複数の取付部３０に対応して配置される複数の孔部４００，５００と、複数の孔部４００，５００のそれぞれと連続する複数の切り込み４０１，５０１とを備え、複数の切り込み４０１，５０１のそれぞれは、他の切り込み４０１，５０１に対して非交差状態で且つ非重複状態であり、連続する孔部４００，５００から一対の側端ＳＥのうちの何れか一方の側端ＳＥ又は下端ＵＥに延びている。
【００６９】
このようにすれば、異なる位置にある複数の孔部４００，５００を始点とする複数の切り込み４０１，５０１が重なり合って実質的に延長されることがなく、また、複数の切り込み４０１，５０１が交差して切片が形成されることもない。
【００７０】
従って、切り込み４０１，５０１の周辺において、シート部材４０，５０の倒れ込み易い部分が形成されにくくなる。
【００７１】
本実施形態において、複数の切り込み４０１，５０１のそれぞれは、直線状をなし、互いの交差角度が直角又は略直角をなす側端ＳＥ又は下端ＵＥに延びている。
【００７２】
このようにすれば、複数の切り込み４０１，５０１を非重複状態で且つ非交差状態にした上で複数の切り込み４０１，５０１の長さを短くできるため、切り込み４０１，５０１周辺でのシート部材４０，５０の浮き上がりや倒れ込みを抑制することができる。
【００７３】
特に、複数の切り込み４０１，５０１のうちの横方向の両端にある孔部４００，５００のそれぞれに連続する切り込み４０１，５０１は、連続する孔部４００，５００から該孔部４００，５００に対して近い方にある側端ＳＥ又は下端ＵＥに延び、残りの切り込み４０１，５０１は、連続する孔部４００，５００から下端ＵＥに延びている。
【００７４】
このようにすれば、複数の切り込み４０１，５０１の長さを最短にできるため、切り込み４０１，５０１周辺でのシート部材４０，５０の浮き上がりや倒れ込みをより抑制することができる。
【００７５】
本実施形態において、かご２の壁部２０３，２０４は、磁性を有し、固定部材４１，５１は、シート部材４０，５０に取り付けられたマグネットシートであるため、壁部２０３，２０４に対するマグネットシート４１，５１の磁着により、固定部材（マグネットシート）４１，５１を介してシート部材４０，５０を壁部２０３，２０４に固定できるとともに、該壁部２０３，２０４から取り外すこともできる。
【００７６】
このように、本実施形態の保護部材４，５によれば、かご２の壁部２０３，２０４に付属部品３が取り付けられていたとしても、体裁よく取り付けることができ、壁部２０３，２０４の保護領域の途中位置で壁部２０３，２０４から浮き上がってしまうことを抑制することができるという優れた効果を奏し得る。
【００７７】
なお、本発明は、上記実施形態に限定されるものではなく、本発明の要旨を逸脱しない範囲で適宜変更を加え得ることは勿論である。
【００７８】
上記実施形態において、三つの孔部４００，５００のうちの両端にある孔部４００，５００と連続する切り込み４０１，５０１が、孔部４００，５００から側端ＳＥに延びたが、これに限定されない。例えば、三つの孔部４００，５００のうちの両端にある孔部４００，５００と連続する切り込み４０１，５０１は、下端ＵＥに延びてもよい。
【００７９】
なお、切り込み４０１，５０１の長さを短くすることは、切り込み４０１，５０１によってシート部材４０，５０に形成されるエッジが短くなり、該エッジ周辺でのシート部材４０，５０の浮き上がり等を抑制できるため、切り込み４０１，５０１は、側端ＳＥ及び下端ＵＥのうちの孔部４００，５００に近い方に延びることが好ましいことは勿論である。但し、切り込み４０１，５０１が、別の切り込み４０１，５０１と重複しないこと（非重複状態であること）、別の切り込み４０１，５０１と交差しないこと（非交差状態であること）が前提である。
【００８０】
上記実施形態において、孔部４００，５００に連続する切り込み４０１，５０１は、側端ＳＥ又は下端ＵＥに対して直角又は略直角をなすように設けられたが、これに限定されない。例えば、切り込み４０１，５０１は、側端ＳＥ又は下端ＵＥに対して傾斜するように延びてもよい。
【００８１】
上記実施形態において、固定部材４１，５１が壁部２０３，２０４（内壁面２０３ａ，２０４ａ）に磁着するマグネットシートで構成されたが、これに限定されない。例えば、固定部材４１，５１は、壁部２０３，２０４（内壁面２０３ａ，２０４ａ）に対して剥離可能に貼着する粘着剤（粘着層）や接着剤（接着層）であってもよい。また、上記実施形態において、固定部材４１，５１は、シート部材４０，５０を部分的に内壁面２０３ａ，２０４ａに磁着（固定）するようにしたが、これに限定されない。固定部材４１，５１は、内壁面２０３ａ，２０４ａに対して付け外しできることを前提に、シート部材４０，５０の全面を内壁面２０３ａ，２０４ａの全面に貼り付ける（固定する）ものであってもよい。
【００８２】
上記実施形態において、シート部材４０，５０が単層で構成されたが、これに限定されない。シート部材４０，５０は、少なくとも収容空間２２０側にクッション性を有すればよく、二層以上の層構造であってもよい。具体的には、シート部材４０，５０は、収容空間２２０側の表層を含むクッション層と、クッション層よりもクッション性が乏しい基層であって、クッション層に積層されて壁部２０３，２０４の内壁面２０３ａ，２０４ａと対向する基層とを含んでもよい。また、クッション層と基層との間に別の層が介在されてもよい。
【００８３】
上記実施形態において、付属部品３として手摺りを一例に挙げて説明したが、これに限定されない。例えば、付属部品３は、腰掛けであってもよい。すなわち、付属部品３は、横方向に間隔をあけて配置される複数の取付部３０と、複数の取付部３０に跨るように横方向に延び且つ複数の取付部３０に連結された機能部３１としての座部とを備えてもよい。
【００８４】
また、上記実施形態において、三つの取付部３０を有する付属部品３を一例に説明したが、これに限定されない。付属部品３は、少なくとも一つの取付部３０を有するものであればよい。但し、機能部３１の外形サイズが取付部３０の外形サイズよりも大きいことが前提である。
【００８５】
従って、シート部材４０，５０は、三つの孔部４００，５００と、これらに連続する三つの切り込み４０１，５０１とを備えたものに限定されるものではなく、孔部４００，５００及び切り込み４０１，５０１がかご２（壁部２０３，２０４）に取り付けられる付属部品３の取付部３０の数に応じて設けられたものであればよい。
【００８６】
上記実施形態において、壁部２０３，２０４の内壁面２０３ａ，２０４ａ全域を保護部材４，５（シート部材４０，５０）で覆ったが、これに限定されない。例えば、かご２の壁部２０３，２０４の上下方向の中央よりも下側の領域を覆うようにしてもよい。
【００８７】
上記実施形態において、保護部材４，５は、固定部材（マグネットシート）４１，５１として、第一マグネットシート４１ａ，５１ａ、第二マグネットシート４１ｂ，５１ｂ、第三マグネットシート４１ｃ，５１ｃ、及び第四マグネットシート４１ｄ，５１ｄを備え、これらを適宜配置することで、必要箇所を壁部２０３，２０４に固定（磁着）するようにしたが、固定部材（マグネットシート）４１，５１の配置は、上記実施形態に限定されない。固定部材の配置は、適宜設定すればよい。但し、少なくともシート部材４０，５０の外周、及び切り込み４０１，５０１の周辺を壁部２０３，２０４に固定できるようにすることは勿論である。
【符号の説明】
【００８８】
１…エレベータ、２…かご、３…付属部品、４，５…保護部材（かご内壁面保護部材）、２０…かご本体、２１…ドア装置、３０…取付部、３１…機能部、４０，５０…シート部材、４１，５１…固定部材（マグネットシート）、４１ａ，５１ａ…第一マグネットシート、４１ｂ，５１ｂ…第二マグネットシート、４１ｃ，５１ｃ…第三マグネットシート、４１ｄ，５１ｄ…第四マグネットシート、２００…開口部、２０１…床板、２０１ａ…床面、２０２…天井、２０２ａ…天井面、２０３…第一壁部（壁部）、２０３ａ…第一内壁面（内壁面）、２０４…第二壁部、２０４ａ…第二内壁面（内壁面）、２０５ａ，２０５ｂ…ベースパネル、２０６ａ，２０６ｂ…保護パネル、２１０…ドアパネル、２２０…収容空間、４００…孔部、４０１，５０１…切り込み、ＡＥ…上端、Ｆ…階層、Ｒ…昇降路、ＳＥ…側端、ＵＥ…下端
【図１】
2018020856.tif 000003
【図２】
2018020856.tif 000004
【図３】
2018020856.tif 000005
【図４】
2018020856.tif 000006
【図５】
2018020856.tif 000007
【図６】
2018020856.tif 000008
【図７】
2018020856.tif 000009